(57)【要約】【課題】重量体を所望の位置に調整することが容易なゴルフクラブヘッドおよびそれを備えたゴルフクラブを提供する。【解決手段】ゴルフクラブヘッド１０は、フェース部１と、ソール部５と、重量体６とを備えている。ソール部５は複数の位置決め溝５ｂを有する案内溝５ａを含んでいる。重量体６は、複数の突出部６ａを含み、複数の位置決め溝５ｂに複数の突出部６ａがそれぞれかみ合う状態で案内溝５ａに位置決めされる。複数の位置決め溝５ｂの各々は円弧状に構成された１対の側壁５と１対の側壁を互いに接続する底部とを含んでいる。複数の突出部６ａの各々は円弧状に構成された１対の側面と１対の側壁を互いに接続する頂部とを含んでいる。【選択図】図２
2019017805.tif 000002
【特許請求の範囲】
【請求項１】
フェース部と、
前記フェース部に連続し、かつ複数の位置決め溝を有する案内溝を含むソール部と、
複数の突出部を含み、かつ前記ソール部の前記案内溝に沿って位置を調整可能であり、前記複数の位置決め溝に前記複数の突出部がそれぞれかみ合う状態で前記案内溝に位置決めされる重量体とを備え、
前記複数の位置決め溝の各々は、１対の側壁と、前記１対の側壁を互いに接続する底部とを含み、
前記１対の側壁の各々は、前記底部から外側に膨らんだ円弧状に構成されており、
前記１対の側壁は、前記底部から離れるに従って互いの間隔が広がるように構成されており、
前記複数の突出部の各々は、１対の側面と、前記１対の側面を互いに接続する頂部とを含み、
前記１対の側面の各々は、前記頂部から内側にへこんだ円弧状に構成されており、
前記１対の側面は、前記頂部から離れるに従って互いの間隔が広がるように構成されている、ゴルフクラブヘッド。
【請求項２】
前記１対の側面の各々の曲率半径は、前記１対の側壁の各々の曲率半径よりも大きい、請求項１に記載のゴルフクラブヘッド。
【請求項３】
前記複数の突出部のピッチは、前記複数の位置決め溝のピッチの整数倍である、請求項１または２に記載のゴルフクラブヘッド。
【請求項４】
前記複数の位置決め溝の各々および前記複数の突出部の各々はそれぞれフェースバック方向に交差するように延びている、請求項１〜３のいずれか１項に記載のゴルフクラブヘッド。
【請求項５】
前記案内溝は、互いに向かい合う１対の内壁と、前記１対の内壁が互いに向かい合う方向に前記１対の内壁の各々から張り出した１対のフランジ部とを含み、
前記１対のフランジ部の各々に前記複数の位置決め溝が設けられており、
前記重量体は、アッパー部と、前記アッパー部との間に前記１対のフランジ部を挟んで配置されたボトム部と、前記アッパー部と前記ボトム部とを接続するビス部とを含む、請求項１〜４のいずれか１項に記載のゴルフクラブヘッド。
【請求項６】
前記アッパー部は、一方面と他方面とを含む本体部と、前記本体部の前記他方面の少なくとも一端に接続された張出部とを含み、
前記張出部は、前記本体部の前記他方面から前記一方面と反対側に張出している、請求項５に記載のゴルフクラブヘッド。
【請求項７】
前記案内溝は、底と、前記１対のフランジ部と前記底との間に配置された幅広部とを含み、
前記幅広部の幅は、前記１対のフランジ部同士の間隔よりも大きく、
前記ボトム部の短手方向の幅は、前記１対のフランジ部同士の間隔よりも小さく、
前記ボトム部の長手方向の幅は、前記１対のフランジ部同士の間隔よりも大きくかつ前記幅広部の幅よりも小さい、請求項５または６に記載のゴルフクラブヘッド。
【請求項８】
シャフトと、
前記シャフトの一方端に取り付けられたグリップと、
前記シャフトの前記グリップと反対側の他方端に取り付けられた請求項１〜７のいずれか１項に記載のゴルフクラブヘッドとを備えた、ゴルフクラブ。
【発明の詳細な説明】
【技術分野】
【０００１】
本発明は、ゴルフクラブヘッドおよびゴルフクラブに関するものである。
【背景技術】
【０００２】
現在、使用者が所望の特性に調整可能なゴルフクラブヘッドが提案されている。たとえば、特開２０１６−１９７３１号公報（特許文献１）には、ゴルフクラブヘッドのソールに配置されたチャネル内での重り部材の位置を調整することによりゴルフクラブヘッドの重心位置を調整可能なゴルフクラブヘッドが提案されている。この公報に記載されたゴルフクラブヘッドにおいては、チャネル内に形成された複数のロック用突起が、重り部材に形成された複数のノッチに係合することにより、チャネル内において重り部材が所望の位置に配置される。これらの複数のロック用突起は略半球形状に形成されており、互いに隙間をあけて配置されている。
【先行技術文献】
【特許文献】
【０００３】
【特許文献１】特開２０１６−１９７３１号公報
【発明の概要】
【発明が解決しようとする課題】
【０００４】
上記の公報に記載されたゴルフクラブヘッドにおいては、複数のロック用突起は略半球形状に形成されており、互いに隙間をあけて配置されているため、ロック用突起の位置とノッチの位置とがずれるとロック用突起とノッチとが係合しない。したがって、重り部材（重量体）を所望の位置に調整することが困難である。
【０００５】
本発明は上記課題に鑑みてなされたものであり、その目的は、重量体を所望の位置に調整することが容易なゴルフクラブヘッドおよびそれを備えたゴルフクラブを提供することである。
【課題を解決するための手段】
【０００６】
本発明のゴルフクラブヘッドは、フェース部と、ソール部と、重量体とを備えている。ソール部は、フェース部に連続し、かつ複数の位置決め溝を有する案内溝を含んでいる。重量体は、複数の突出部を含み、かつソール部の案内溝に沿って位置を調整可能であり、複数の位置決め溝に複数の突出部がそれぞれかみ合う状態で案内溝に位置決めされる。複数の位置決め溝の各々は１対の側壁と１対の側壁を互いに接続する底部とを含んでいる。１対の側壁の各々は底部から外側に膨らんだ円弧状に構成されている。１対の側壁は底部から離れるに従って互いの間隔が広がるように構成されている。複数の突出部の各々は１対の側面と１対の側面を互いに接続する頂部とを含んでいる。１対の側面の各々は頂部から内側にへこんだ円弧状に構成されている。１対の側面は頂部から離れるに従って互いの間隔が広がるように構成されている。
【０００７】
本発明のゴルフクラブヘッドによれば、１対の側壁の各々が円弧状に構成されており、１対の側面の各々が円弧状に構成されている。このため、複数の位置決め溝に複数の突出部がそれぞれ係合する際に、複数の位置決め溝の１対の側壁に沿って複数の突出部の頂部が移動できる。したがって、複数の位置決め溝の底部に複数の突出部の頂部を係合させることが容易である。よって、重量体を所望の位置に調整することが容易である。
【０００８】
上記のゴルフクラブヘッドにおいて好ましくは、１対の側面の各々の曲率半径は、１対の側壁の各々の曲率半径よりも大きい。このため、頂部の高さを底部の深さよりも大きくすることができる。したがって、頂部が摩耗することにより頂部の高さが減少した場合でも、頂部を底部に保持することができる。
【０００９】
上記のゴルフクラブヘッドにおいて好ましくは、複数の突出部のピッチは、複数の位置決め溝のピッチの整数倍である。このため、複数の突出部の頂部を複数の位置決め溝の底部にそれぞれ配置することができる。したがって、重量体を案内溝にしっかりと保持することができる。
【００１０】
上記のゴルフクラブヘッドにおいて好ましくは、複数の位置決め溝の各々および複数の突出部の各々はそれぞれフェースバック方向に交差するように延びている。このため、複数の位置決め溝の各々および複数の突出部の各々を打球方向に交差する方向に延びるように配置することができる。これにより、打球時の衝撃により重量体が移動することを抑制することができる。
【００１１】
上記のゴルフクラブヘッドにおいて好ましくは、案内溝は、互いに向かい合う１対の内壁と、１対の内壁が互いに向かい合う方向に１対の内壁の各々から張り出した１対のフランジ部とを含んでいる。１対のフランジ部の各々に複数の位置決め溝が設けられている。重量体は、アッパー部と、アッパー部との間に１対のフランジ部を挟んで配置されたボトム部と、アッパー部とボトム部とを接続するビス部とを含んでいる。このため、アッパー部をボトム部とビス部とで１対のフランジ部に位置決めすることができる。仮にビス部が案内溝の底に押されてアッパー部が位置決めされる場合には、案内溝の強度を確保するため案内溝の底の厚みを厚くする必要がある。そのため、ソール部の重量が重くなることにより、ゴルフクラブヘッドの重量が重くなる。これに比べて、アッパー部をボトム部およびビス部により１対のフランジ部に位置決めすることができるため、ゴルフクラブヘッドの重量を軽くすることができる。
【００１２】
上記のゴルフクラブヘッドにおいて好ましくは、案内溝は、底と、１対のフランジ部と底との間に配置された幅広部とを含んでいる。幅広部の幅は、１対のフランジ部同士の間隔よりも大きい。ボトム部の短手方向の幅は、１対のフランジ部同士の間隔よりも小さい。ボトム部の長手方向の幅は、１対のフランジ部同士の間隔よりも大きくかつ幅広部の幅よりも小さい。このため、ボトム部を幅広部で回転させることにより案内溝に保持することができる。したがって、重量体を案内溝に挿入するために、たとえば案内溝の側方に開口を設ける必要がない。これにより、ゴルフクラブヘッドの設計の自由度を向上させることができる。
【００１３】
上記のゴルフクラブヘッドにおいて好ましくは、アッパー部は、一方面と他方面とを含む本体部と、本体部の他方面の少なくとも一端に接続された張出部とを含んでいる。張出部は、本体部の他方面から一方面と反対側に張出している。このため、張出部によって重量体の強度を向上させることができる。
【００１４】
本発明のゴルフクラブは、シャフトと、シャフトの一方端に取り付けられたグリップと、シャフトのグリップと反対側の他方端に取り付けられた上記のいずれかのゴルフクラブヘッドとを備えている。このため、重量体を所望の位置に調整することが容易なゴルフクラブヘッドを備えたゴルフクラブを提供することができる。
【発明の効果】
【００１５】
以上説明したように、本発明によれば、重量体を所望の位置に調整することが容易なゴルフクラブヘッドおよびそれを備えたゴルフクラブを提供することができる。
【図面の簡単な説明】
【００１６】
【図１】本発明の一実施の形態におけるゴルフクラブヘッドの構成を概略的に示す上面図である。
【図２】本発明の一実施の形態におけるゴルフクラブヘッドの構成を概略的に示す下面図である。
【図３】本発明の一実施の形態におけるゴルフクラブヘッドの構成を概略的に示す斜視図である。
【図４】図２のＩＶ−ＩＶ線に沿う断面図である。
【図５】本発明の一実施の形態におけるゴルフクラブヘッドの重量体の構成を概略的に示す側面図である。
【図６】本発明の一実施の形態におけるゴルフクラブヘッドの重量体の構成を概略的に示す平面図である。
【図７】図４のＶＩＩ部（破線で囲まれた領域）における複数の位置決め溝および複数の突出部を示す拡大図である。
【図８】本発明の一実施の形態の変形例１におけるゴルフクラブヘッドの構成を概略的に示す断面図である。
【図９】本発明の一実施の形態の変形例２におけるゴルフクラブヘッドの構成を概略的に示す断面図である。
【図１０】本発明の一実施の形態におけるゴルフクラブの構成を概略的に示す斜視図である。
【発明を実施するための形態】
【００１７】
以下、本発明の実施の形態について図に基づいて説明する。
最初に、図１〜図７を参照して、本発明の一実施の形態のゴルフクラブヘッド１０の構成について説明する。以下、本発明の一実施の形態のゴルフクラブヘッド１０の例として、ウッド型ゴルフクラブヘッドについて説明する。なお、本発明の一実施の形態のゴルフクラブヘッド１０はユーティリティゴルフクラブヘッドにも適用可能である。
【００１８】
図１および図２に示されるように、ゴルフクラブヘッド１０は、フェース部１と、トウ部２と、ヒール部３と、クラウン部４と、ソール部５と、重量体６と、ホーゼル部７とを主に有している。フェース部１、トウ部２、ヒール部３、クラウン部４、ソール部５、重量体６およびホーゼル部７の各々の材料は、たとえばステンレスである。
【００１９】
フェース部１は打球面を有している。フェース部１は打球面にスイートスポットを有している。フェース部１の打球面においてスイートスポットの周囲にスイートエリアが形成されている。打球面には、図示しない複数のスコアラインが形成されていてもよい。平面視において、打球面に直交しかつフェース部１とゴルフクラブヘッド１０の最後端とが向かい合う方向がフェースバック方向ＦＢである。
【００２０】
トウ部２はホーゼル部７から離れた側のクラウン部４とソール部５とを接続する部分である。トウ部２はフェース部１に連続している。ヒール部３はホーゼル部７の下端からソール部５に至る部分である。ヒール部３はフェース部１に連続している。ヒール部３はフェース部１を挟んでトウ部２と向かい合っている。トウ部２とヒール部３とが向かい合う方向がトウヒール方向である。トウヒール方向はフェースバック方向ＦＢに対して直交している。
【００２１】
クラウン部４はゴルフクラブヘッド１０の上部を構成する部分である。クラウン部４はソール部５の上面を覆うように配置されている。クラウン部４はフェース部１に連続している。ソール部５はゴルフクラブヘッド１０の底部を構成する部分である。ソール部５はフェース部１に連続している。ソール部５はクラウン部４と向かい合っている。クラウン部４とソール部５とが向かい合う方向がクラウンソール方向である。ホーゼル部７は図１０に示されるシャフト３０に接続される部分である。ホーゼル部７がシャフト３０に接続された状態で、取付孔８に挿入された図示しない取付部材によって、ゴルフクラブヘッド１０がシャフト３０に固定される。
【００２２】
図２〜図４に示されるように、ソール部５は、案内溝５ａを含んでいる。案内溝５ａはフェースバック方向ＦＢに延在している。案内溝５ａは、複数の位置決め溝５ｂを有している。重量体６は、複数の突出部６ａを含んでいる。重量体６は、ソール部５の案内溝５ａに沿って位置を調整可能である。重量体６を案内溝５ａに沿って移動させることにより、ゴルフクラブヘッド１０の重心位置をフェースバック方向ＦＢに移動させることができる。重量体６、複数の位置決め溝５ｂに複数の突出部６ａがそれぞれかみ合う状態で案内溝５ａに位置決めされる。重量体６の重量は、たとえば１５ｇ以上２０ｇ以下であり、１７ｇが好ましい。複数の位置決め溝５ｂの各々および複数の突出部６ａの各々はそれぞれフェースバック方向ＦＢに交差するように延びている。
【００２３】
案内溝５ａは、１対の内壁５ｃと、１対のフランジ部５ｄとを含んでいる。１対の内壁５ｃは、互いに向かい合うように配置されている。１対のフランジ部５ｄは、１対の内壁５ｃが互いに向かい合う方向に１対の内壁５ｃの各々から張り出している。１対のフランジ部５ｄの各々に複数の位置決め溝５ｂが設けられている。案内溝５ａは、開口５ｅを含んでいる。開口５ｅから案内溝５ａに重量体６が挿入される。１対のフランジ部５ｄの各々の開口５ｅ側の面に複数の位置決め溝５ｂが設けられている。
【００２４】
重量体６は、アッパー部６１と、ビス部６２と、ボトム部６３とを含んでいる。アッパー部６１は、本体部６１ａと、本体部６１ａに設けられた貫通孔６１ｂとを含んでいる。ビス部６２は、頭部６２ａと、軸部６２ｂとを含んでいる。頭部６２ａの直径は軸部６２ｂの直径よりも大きい。頭部６２ａの直径は貫通孔６１ｂの直径よりも大きい。軸部６２ｂにねじ山が設けられている。ボトム部６３は、基部６３ａと、基部６３ａに設けられた貫通孔６３ｂとを含んでいる。貫通孔６３ｂには軸部６２ｂのねじ山と螺合可能なねじ溝が設けられている。ビス部６２はアッパー部６１とボトム部６３とを接続する。ボトム部６３はアッパー部６１との間に１対のフランジ部５ｄを挟んで配置されている。アッパー部６１の１対のフランジ部５ｄの各々と向かい合う部分に複数の突出部６ａが設けられている。
【００２５】
ビス部６２はアッパー部６１とボトム部６３との間隔を変化させるように構成されている。具体的には、ビス部６２が締められことにより、ビス部６２の軸部６２ｂの軸方向においてアッパー部６１とボトム部６３との間隔が狭くなる。これにより、複数の突出部６ａが複数の位置決め溝５ｂに接触し、重量体６が案内溝５ａに固定される。他方、ビス部６２が緩められることにより、ビス部６２の軸部６２ｂの軸方向においてアッパー部６１とボトム部６３との間隔が広くなる。これにより、複数の突出部６ａが複数の位置決め溝５ｂから位置決め溝５ｂの深さよりも離れると、複数の突出部６ａは複数の位置決め溝５ｂに接触しないことが可能となる。よって、重量体６が案内溝５ａに対して移動可能となる。そして、重量体６を案内溝５ａに沿って所望の位置まで移動させ、再度ビス部６２が締められることにより、当該位置に重量体６を固定することができる。このようにして、重量体６を案内溝５ａに対して所望の位置に調整することができる。
【００２６】
案内溝５ａは、底５ｆと、幅広部５ｇとを含んでいる。開口５ｅと底５ｆとの間に１対のフランジ部５ｄが配置されている。開口５ｅの幅は、１対のフランジ部５ｄ同士の間隔よりも大きい。アッパー部６１の長手方向の幅は、１対のフランジ部５ｄ同士の間隔よりも大きくかつ開口５ｅの幅よりも小さい。案内溝５ａの長手方向は、１対のフランジ部５ｄ同士が並行して延在する方向である。案内溝５ａの短手方向は、１対のフランジ部５ｄ同士が互いに向かい合う方向である。案内溝５ａの長手方向と短手方向とは互いに交差している。幅広部５ｇは、１対のフランジ部５ｄと底５ｆとの間に配置されている。幅広部５ｇは、案内溝５ａが延在する方向に案内溝５ａのフェース側の端部からバック側に延在している。なお、幅広部５ｇが設けられる位置は、案内溝５ａの長手方向において、案内溝５ａのフェース側の端部に限られず、案内溝５ａのどの位置にあっても構わない。幅広部５ｇのフェースバック方向ＦＢの寸法は、ボトム部６３の短手方向の幅よりも大きい。幅広部５ｇの幅は、１対のフランジ部５ｄ同士の間隔よりも大きい。ボトム部６３の短手方向の幅は、１対のフランジ部５ｄ同士の間隔よりも小さい。ボトム部６３の長手方向の幅は、１対のフランジ部５ｄ同士の間隔よりも大きくかつ幅広部５ｇの幅よりも小さい。
【００２７】
図５および図６に示されるように、アッパー部６１は、本体部６１ａと、張出部６１ｃとを含んでいる。本体部６１ａは、一方面６１ａ１と、他方面６１ａ２とを含んでいる。一方面６１ａ１と他方面６１ａ２とは互いに反対側に配置されている。張出部６１ｃは、本体部６１ａの他方面６１ａ２の少なくとも一端に接続されている。本実施の形態では、１対の張出部６１ｃが設けられている。１対の張出部６１ｃは、本体部６１ａの他方面６１ａ２の両端に接続されている。張出部６１ｃは、本体部６１ａの他方面６１ａ２から一方面６１ａ１と反対側に張出している。１対の張出部６１ｃは、互いに向かい合うように配置されている。１対の張出部６１ｃの他方面６１ａ２から張出す方向の寸法は、本体部６１ａの一方面６１ａ１と他方面６１ａ２とが対向する方向の寸法よりも小さい。本実施の形態では、１対の張出部６１ｃが設けられているため、アッパー部６１はチャンネル状（コの字状）に構成されている。なお、アッパー部６１の断面形状によっては、張出部６１ｃが片方のみであっても、アッパー部６１の剛性を確保することができる。そのため、張出部６１ｃは、本体部６１ａの他方面６１ａ２の少なくとも一端に接続されていればよい。
【００２８】
図７に示されるように、複数の位置決め溝５ｂの各々は、１対の側壁５ｂ１と、１対の側壁５ｂ１を互いに接続する底部５ｂ２とを含んでいる。１対の側壁５ｂ１の各々は、底部５ｂ２から外側に膨らんだ円弧状に構成されている。１対の側壁５ｂ１は、底部５ｂ２から離れるに従って互いの間隔が広がるように構成されている。複数の位置決め溝５ｂの互いに隣り合う側壁５ｂ１は、連続する円弧状に構成されている。複数の位置決め溝５ｂの互いに隣り合う側壁５ｂ１の曲率半径は等しい。底部５ｂ２は直線状に構成されている。底部５ｂ２はフェースバック方向ＦＢに交差するように延びている。
【００２９】
複数の突出部６ａの各々は、１対の側面６ａ１と、１対の側面６ａ１を互いに接続する頂部６ａ２とを含んでいる。１対の側面６ａ１の各々は、頂部６ａ２から内側にへこんだ円弧状に構成されている。１対の側面６ａ１は、頂部６ａ２から離れるに従って互いの間隔が広がるように構成されている。複数の突出部６ａの互いに隣り合う側面６ａ１は、連続する円弧状に構成されている。複数の突出部６ａの互いに隣り合う側面６ａ１の曲率半径は等しい。頂部６ａ２は直線状に構成されている。頂部６ａ２はフェースバック方向ＦＢに交差するように延びている。
【００３０】
１対の側面６ａ１の各々の曲率半径は、１対の側壁５ｂ１の各々の曲率半径よりも大きい。したがって、頂部６ａ２の高さは、底部５ｂ２の深さよりも大きくなる。頂部６ａ２の高さは、頂部６ａ２と１対の側壁５ｂ１との高さ方向の最大の寸法である。底部５ｂ２の深さは、底部５ｂ２と１対の側面６ａ１との高さ方向の最大の寸法である。
【００３１】
複数の突出部６ａのピッチＰ２は、複数の位置決め溝５ｂのピッチＰ１の整数倍である。複数の突出部６ａのピッチＰ２は、複数の位置決め溝５ｂのピッチＰ１の２倍であることが好ましい。これにより、複数の突出部６ａのピッチＰ２は、複数の位置決め溝５ｂのピッチＰ１の３倍以上である場合よりも、側壁５ｂ１と側面６ａ１との接触面積を大きくすることができる。複数の突出部６ａのピッチＰ２は、たとえば１．５ｍｍである。複数の位置決め溝５ｂのピッチＰ１は、たとえば０．７５ｍｍである。
【００３２】
なお、複数の突出部６ａのピッチＰ２は、互いに隣り合う複数の突出部６ａの頂部６ａ２同士の距離である。より具体的には、複数の突出部６ａのピッチは、互いに隣り合う複数の突出部６ａの頂部６ａ２同士の幅方向の最大の寸法である。複数の位置決め溝５ｂのピッチＰ１は、互いに隣り合う複数の位置決め溝５ｂの底部５ｂ２同士の距離である。より具体的には、複数の位置決め溝５ｂのピッチＰ１は、互いに隣り合う複数の位置決め溝５ｂの底部５ｂ２同士の幅方向の最大の寸法である。
【００３３】
次に、本発明の一実施の形態のゴルフクラブヘッド１０の作用効果について説明する。
本発明の一実施の形態のゴルフクラブヘッド１０によれば、１対の側壁５ｂ１の各々が円弧状に構成されており、１対の側面６ａ１の各々が円弧状に構成されている。このため、複数の位置決め溝５ｂに複数の突出部６ａがそれぞれ係合する際に、複数の位置決め溝５ｂの１対の側壁５ｂ１に沿って複数の突出部６ａの頂部６ａ２が移動できる。したがって、複数の位置決め溝５ｂの底部５ｂ２に複数の突出部６ａの頂部６ａ２を係合させることが容易である。よって、重量体６を所望の位置に調整することが容易である。
【００３４】
また、複数の位置決め溝５ｂおよび複数の突出部６ａの円弧状の凹凸を噛み合わせるようにしたため、凹凸の位置がずれていても滑り込みながら凹凸を嵌め合わせることができる。
【００３５】
また、複数の位置決め溝５ｂと複数の突出部６ａとにより、重量体６を複数の位置に配置することができる。したがって、重量体６の位置を調整することができる。
【００３６】
また、複数の位置決め溝５ｂの底部５ｂ２に複数の突出部６ａの頂部６ａ２が係合することにより、重量体６を案内溝５ａにしっかりと保持することができる。
【００３７】
また、複数の位置決め溝５ｂの底部５ｂ２に複数の突出部６ａの頂部６ａ２が係合する状態において、側壁５ｂ１に側面６ａ１が接触することにより、重量体６を案内溝５ａにしっかりと保持することができる。
【００３８】
本発明の一実施の形態のゴルフクラブヘッド１０においては、１対の側面６ａ１の各々の曲率半径は、１対の側壁５ｂ１の各々の曲率半径よりも大きい。このため、頂部６ａ２の高さを底部５ｂ２の深さよりも大きくすることができる。したがって、頂部６ａ２が摩耗することにより頂部６ａ２の高さが減少した場合でも、頂部６ａ２を底部５ｂ２に保持することができる。
【００３９】
本発明の一実施の形態のゴルフクラブヘッド１０においては、複数の突出部６ａのピッチＰ２は、複数の位置決め溝５ｂのピッチＰ１の整数倍である。このため、複数の突出部６ａの頂部６ａ２を複数の位置決め溝５ｂの底部５ｂ２にそれぞれ配置することができる。したがって、重量体６を案内溝５ａにしっかりと保持することができる。
【００４０】
本発明の一実施の形態のゴルフクラブヘッド１０においては、複数の位置決め溝５ｂの各々および複数の突出部６ａの各々はそれぞれフェースバック方向ＦＢに交差するように延びている。このため、複数の位置決め溝５ｂの各々および複数の突出部６ａの各々を打球方向に交差する方向に延びるように配置することができる。これにより、打球時の衝撃により重量体６が移動することを抑制することができる。
【００４１】
本発明の一実施の形態のゴルフクラブヘッド１０においては、重量体６は、アッパー部６１と、アッパー部６１との間に１対のフランジ部５ｄを挟んで配置されたボトム部６３と、アッパー部６１とボトム部６３とを接続するビス部６２とを含んでいる。このため、アッパー部６１をボトム部６３とビス部６２とで１対のフランジ部５ｄに位置決めすることができる。仮にビス部６２が案内溝５ａの底５ｆに押されてアッパー部６１が位置決めされる場合には、案内溝５ａの強度を確保するため案内溝５ａの底５ｆの厚みを厚くする必要がある。そのため、ソール部５の重量が重くなることにより、ゴルフクラブヘッドの重量が重くなる。これに比べて、アッパー部６１をボトム部６３およびビス部６２により１対のフランジ部５ｄに位置決めすることができるため、ゴルフクラブヘッド１０の重量を軽くすることができる。
【００４２】
本発明の一実施の形態のゴルフクラブヘッド１０においては、幅広部５ｇの幅は、１対のフランジ部５ｄ同士の間隔よりも大きい。ボトム部６３の短手方向の幅は１対のフランジ部５ｄ同士の間隔よりも小さく、ボトム部６３の長手方向の幅は１対のフランジ部５ｄ同士の間隔よりも大きくかつ幅広部５ｇの幅よりも小さい。このため、ボトム部６３を幅広部５ｇで回転させることにより、ボトム部６３を、１対のフランジ部５ｄと案内溝５ａの底５ｆとの間に形成される空間に、脱落することのない状態で収容することができる。したがって、重量体６を案内溝５ａに挿入するために、たとえば案内溝５ａの側方に開口を設ける必要がない。これにより、ゴルフクラブヘッド１０の設計の自由度を向上させることができる。
【００４３】
本発明の一実施の形態のゴルフクラブヘッド１０においては、アッパー部６１は、本体部６１ａと、本体部６１ａの他方面６１ａ２の少なくとも一端に接続され、他方面６１ａ２から一方面６１ａ１と反対側に張出している張出部６１ｃを含んでいる。このため、張出部６１ｃによって重量体６の強度を向上させることができる。
【００４４】
次に、図８および図９を参照して、本発明の一実施の形態のゴルフクラブヘッドの各変形例について説明する。なお、特に言及しない限り、各変形例におけるゴルフクラブヘッド１０は、上記の本発明の一実施の形態におけるゴルフクラブヘッド１０と同様の構成を備えている。また、各変形例におけるゴルフクラブヘッド１０によっても上記の本発明の一実施の形態におけるゴルフクラブヘッド１０と同様の作用効果を奏することができる。
【００４５】
図８に示されるように、本発明の一実施の形態の変形例１におけるゴルフクラブヘッド１０は、本発明の一実施の形態のゴルフクラブヘッド１０に比べて、案内溝５ａおよび重量体６の構成が異なっている。
【００４６】
本発明の一実施の形態の変形例１におけるゴルフクラブヘッド１０においては、１対のフランジ部５ｄの各々の底５ｆ側の面に複数の位置決め溝５ｂが設けられている。ボトム部６３の１対のフランジ部５ｄの各々と向かい合う部分に複数の突出部６ａが設けられている。
【００４７】
本発明の一実施の形態の変形例１におけるゴルフクラブヘッド１０においても、上記の本発明の一実施の形態のゴルフクラブヘッド１０の作用効果と同様の作用効果を奏することができる。
【００４８】
図９に示されるように、本発明の一実施の形態の変形例２におけるゴルフクラブヘッド１０は、本発明の一実施の形態のゴルフクラブヘッド１０に比べて、案内溝５ａおよび重量体６の構成が異なっている。
【００４９】
本発明の一実施の形態の変形例２におけるゴルフクラブヘッド１０においては、１対のフランジ部５ｄの各々の底５ｆ側の面に複数の位置決め溝５ｂが設けられている。重量体６は、アッパー部６１とビス部６２とからなり、ボトム部６３を備えていない。アッパー部６１の１対のフランジ部５ｄの各々と向かい合う部分に複数の突出部６ａが設けられている。
【００５０】
アッパー部６１の貫通孔６１ｂにはビス部６２の軸部６２ｂのねじ山と螺合可能なねじ溝が設けられている。アッパー部６１の長手方向の幅は、開口５ｅの幅よりも小さい。アッパー部６１の短手方向の幅は、ビス部６２が締められたり緩められたりしたときに、アッパー部６１が１対の内壁５ｃに接触することにより、ビス部６２の軸部６２ｂまわりにアッパー部６１が回転することを抑制するように構成されている。したがって、アッパー部６１は、ビス部６２が締められたり緩められたりしたときに、ビス部６２の軸部６２ｂまわりにビス部６２とともに回転しないように構成されている。
【００５１】
ビス部６２が締められることによりビス部６２が案内溝５ａの開口５ｅ側から底５ｆ側に向かって軸部６２ｂの軸方向に移動する。ビス部６２が軸部６２ｂの軸方向に移動してビス部６２の先端６２ｂ１が案内溝５ａの底５ｆに接触すると、ビス部６２の軸部６２ｂの軸方向への移動が妨げられる。これにより、ビス部６２が締められると、案内溝５ａの１対の内壁５ｃに沿って、アッパー部６１が案内溝５ａの底５ｆ側から開口５ｅ側に向かって軸部６２ｂの軸方向に移動する。そして、１対のフランジ部５ｄの各々の底５ｆ側の面に設けられた複数の位置決め溝５ｂにアッパー部６１に設けられた複数の突出部６ａが接触することにより、重量体６が案内溝５ａに固定される。
【００５２】
他方、ビス部６２が緩められることにより、ビス部６２が案内溝５ａの底５ｆ側から開口５ｅ側に向かって軸部６２ｂの軸方向に移動する。これにより、ビス部６２の先端６２ｂ１と底５ｆとの間に隙間が生じる。この隙間によりアッパー部６１は開口５ｅ側から底５ｆ側に向かって軸部６２ｂの軸方向に移動することが可能となる。そして、複数の突出部６ａが複数の位置決め溝５ｂから位置決め溝５ｂの深さよりも離れると、複数の突出部６ａは複数の位置決め溝５ｂに接触しないことが可能となる。よって、重量体６が案内溝５ａに対して移動可能となる。そして、重量体６を案内溝５ａに沿って所望の位置まで移動させ、再度ビス部６２が締められることにより、当該位置に重量体６を固定することができる。このようにして、重量体６を案内溝５ａに対して所望の位置に調整することができる。
【００５３】
本発明の一実施の形態の変形例２におけるゴルフクラブヘッド１０では、ビス部６２が案内溝５ａの底５ｆに押されることによりアッパー部６１が案内溝５ａに位置決めされる。このため、案内溝５ａの強度を確保するため案内溝５ａの底５ｆの厚みが厚くなる。そのため、ソール部５の重量が重くなることにより、ゴルフクラブヘッド１０の重量が重くなる。この点を除いて、本発明の一実施の形態の変形例２におけるゴルフクラブヘッド１０においても、上記の本発明の一実施の形態のゴルフクラブヘッド１０の作用効果と同様の作用効果を奏することができる。
【００５４】
次に、図１０を参照して、本発明の一実施の形態のゴルフクラブの構成について説明する。
【００５５】
図１０に示されるように、本発明の一実施の形態のゴルフクラブ１００は、ゴルフクラブヘッド１０と、ソケット２０と、シャフト３０と、グリップ４０とを主に備えている。ゴルフクラブヘッド１０にソケット２０、シャフト３０およびグリップ４０を組み合わせることでゴルフクラブ１００が構成される。グリップ４０はシャフト３０の一方端に取り付けられている。ゴルフクラブヘッド１０はシャフト３０のグリップ４０と反対側の他方端に取り付けられている。なお、シャフト３０およびグリップ４０は周知のものを採用可能である。また、ゴルフクラブヘッド１０のホーゼル部７に隣接するようにシャフト３０にソケット２０が取り付けられている。
【００５６】
次に、本発明の一実施の形態のゴルフクラブ１００の作用効果について説明する。
本発明の一実施の形態のゴルフクラブ１００は、上記の本発明の一実施の形態および各変形例のいずれかのゴルフクラブヘッド１０を備えている。このため、重量体６を所望の位置に調整することが容易なゴルフクラブヘッド１０を備えたゴルフクラブ１００を提供することができる。
【００５７】
なお、上記の本発明の一実施の形態および各変形例のゴルフクラブヘッド１０ならびに上記の本発明の一実施の形態のゴルフクラブ１００は適宜組み合わせることができる。
【００５８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【符号の説明】
【００５９】
１  フェース部、２  トウ部、３  ヒール部、４  クラウン部、５  ソール部、５ａ  案内溝、５ｂ  位置決め溝、５ｂ１  側壁、５ｂ２  底部、５ｃ  内壁、５ｄ  フランジ部、５ｅ  開口、５ｆ  底、５ｇ  幅広部、６  重量体、６ａ  突出部、６ａ１  側面、６ａ２  頂部、７  ホーゼル部、８  取付孔、１０  ゴルフクラブヘッド、２０  ソケット、３０  シャフト、４０  グリップ、６１  アッパー部、６１ａ  本体部、６１ａ１  一方面、６１ａ２  他方面、６１ｂ，６３ｂ  貫通孔、６１ｃ  張出部、６２  ビス部、６２ａ  頭部、６２ｂ  軸部、６３  ボトム部、６３ａ  基部、１００  ゴルフクラブ、ＦＢ  フェースバック方向、Ｐ１，Ｐ２  ピッチ。
【図１】
2019017805.tif 000003
【図２】
2019017805.tif 000004
【図３】
2019017805.tif 000005
【図４】
2019017805.tif 000006
【図５】
2019017805.tif 000007
【図６】
2019017805.tif 000008
【図７】
2019017805.tif 000009
【図８】
2019017805.tif 000010
【図９】
2019017805.tif 000011
【図１０】
2019017805.tif 000012